(57)【要約】【課題】電気コネクタ等の長い信号線を巻き取って収納する際に、接続ユニットと信号線とのつなぎ目が折れ曲がり、これによる信号線のショートや電気コネクタの寿命が短くなるのを防ぐこと。【解決手段】巻取りユニット１と、信号線２と、第１の接続ユニット３と、第２の接続ユニット４とを含む巻取り機能付き電気コネクタにおいて、該巻取りユニット１は自動線巻き機能を有し、その一側面に収納室１１設ける。該信号線２を該巻取りユニット１に設け、該信号線２の一端を該収納室１１から露出させる。該信号線２を該巻取りユニット１に巻き取るときに、該第１の接続ユニット３を該収納室１１に収納及び固定する。これにより該接続ユニットと信号線との間が曲折し難くなり、該信号線のショートを防止でき、製品の使用寿命を長くできる。【選択図】図１
0003132874.tif 000002
【実用新案登録請求の範囲】
【請求項１】
一側面に収納室が設けられた巻取りユニットと、
前記巻取りユニットに設けられ、一端が前記収納室に露出された信号線と、
前記信号線の前記収納室に露出された一端に設けられた第１の接続ユニットと、
前記信号線の他端に設けられた第２の接続ユニットと、を含むことによって、
前記信号線が引っ張られることで前記信号線の前記巻取りユニットに露出された長さが調整され、前記信号線が巻取りユニット内に巻き取られる時、前記第１の接続ユニットが前記収納室内に収納されることを特徴とする巻取り機能付き電気コネクタ。
【請求項２】
前記第１の接続ユニットは、ＵＳＢ転送プラグ、ＰＳ２（パーソナルシステム２）転送プラグ、または１３９４転送プラグであることを特徴とする請求項１に記載の巻取り機能付き電気コネクタ。
【請求項３】
前記第２の接続ユニットは、マウス、ハブ、またはカードリーダであることを特徴とする請求項１に記載の巻取り機能付き電気コネクタ。
【請求項４】
前記第２の接続ユニットは、ＵＳＢ転送プラグ、ＰＳ２（パーソナルシステム２）転送プラグ、または１３９４転送プラグであることを特徴とする請求項１に記載の巻取り機能付き電気コネクタ。
【請求項５】
対向する両側面にそれぞれ第１の収納室および第２の収納室が設けられた巻取りユニットと、
前記巻取りユニットに設けられ、両端が前記第１の収納室および第２の収納室にそれぞれ露出された信号線と、
前記信号線の両端にそれぞれ設けられた第１の接続ユニットおよび第２の接続ユニットと、を含むことによって、
前記信号線が引っ張られることで前記信号線の前記巻取りユニットに露出された長さが調整され、前記信号線が巻取りユニット内に巻き取られる時、前記第１の接続ユニットが前記第１の収納室内に収納され、前記第２の接続ユニットが前記第２の収納室内に収納されることを特徴とする巻取り機能付き電気コネクタ。
【請求項６】
前記第１の接続ユニットは、ＵＳＢ転送プラグ、ＰＳ２（パーソナルシステム２）転送プラグ、または１３９４転送プラグであることを特徴とする請求項５に記載の巻取り機能付き電気コネクタ。
【請求項７】
前記第２の接続ユニットは、マウス、ハブ、またはカードリーダであることを特徴とする請求項５に記載の巻取り機能付き電気コネクタ。
【請求項８】
前記第２の接続ユニットは、ＵＳＢ転送プラグ、ＰＳ２（パーソナルシステム２）転送プラグ、または１３９４転送プラグであることを特徴とする請求項５に記載の巻取り機能付き電気コネクタ。
【考案の詳細な説明】
【技術分野】
【０００１】
本考案は、巻取り機能付き電気コネクタに係わり、特に、巻取りユニットが収納室を有し、該巻取りユニット内に信号線が巻き取られるときに、接続ユニットが該収納室内に収納できる巻取り機能付き電気コネクタを指すものである。
【背景技術】
【０００２】
現在の科学技術の発展に伴い、多くのパソコン設備の体積が小さくなり、また携帯性があるようになり、例えば、パソコンのコンパクト化に応じてノートパソコンが生まれて来た。ノートパソコンは、使用する際にそのＯＳ（Ｏｐｅｒａｔｉｎｇ  Ｓｙｓｔｅｍ）のカーソルを大体タッチパッドで制御するが、該タッチパッドが予定の位置に正確に該カーソルを制御し難いため、多くの使用者がマウスを別に携帯し、カーソルの制御装置としている。しかし、一般のマウスの信号線がともにある程度の長さがあり、使用及び収納の時に整理する必要があり、かつ、信号線が絡まるような状態になり易く、使用上の不便である。
【０００３】
一般に従来の方法には、以下の二つがある。１．無線マウスを携帯するが、使用中に常に電力が使い尽くされて使用できない状態になることがある、２．巻取り機を使用して、信号線を該巻取り機内に巻き取るが、転送プラグが収納の時に曲折される現象を発生し、信号線のショートし易い。
【０００４】
また、使用者は、他のパソコンの周辺設備、例えば、ＵＳＢ転送線や、ＵＳＢ転送プラグを有するＵＳＢハブ（Ｈｕｂ）およびカードリーダなどをも携帯できるが、それらはともに比較的に長い信号線を有し、使用および収納の時に前述のような問題を同様に有する。
【０００５】
そのため従来巻取り機で信号線を収納する方法には、確かに欠点があり、改善が期待される。
【考案の開示】
【考案が解決しようとする課題】
【０００６】
本考案の目的は、巻取りユニットの側面に収納室が設けられ、該巻取りユニットに設けられた信号線が該巻取りユニット内に収納されるときに、該接続ユニットを該収納室内に収納及び固定させることによって、該接続ユニットと該信号線との間が曲折し難くなり、該信号線のショートを防止できる利点を有するため製品の使用寿命を向上できる巻取り機能付き電気コネクタを提供することにある。
【課題を解決するための手段】
【０００７】
前記目的を達成するため、本考案は、一側面に収納室が設けられた巻取りユニットと、前記巻取りユニットに設けられ、一端が前記収納室に露出された信号線と、前記信号線の前記収納室に露出された一端に設けられた第１の接続ユニットと、前記信号線の他端に設けられた第２の接続ユニットと、を含むことによって、前記信号線が引っ張られることで前記信号線の前記巻取りユニットに露出された長さが調整され、前記信号線が巻取りユニット内に巻き取られる時、前記第１の接続ユニットが前記収納室内に収納される巻取り機能付き電気コネクタを提供する。
【０００８】
また、本考案は、対向する両側面にそれぞれ第１の収納室および第２の収納室が設けられた巻取りユニットと、前記巻取りユニットに設けられ、両端が前記第１の収納室および第２の収納室にそれぞれ露出された信号線と、前記信号線の両端にそれぞれ設けられた第１の接続ユニットおよび第２の接続ユニットと、を含むことによって、前記信号線が引っ張られることで前記信号線の前記巻取りユニットに露出された長さが調整され、前記信号線が巻取りユニット内に巻き取られる時、前記第１の接続ユニットが前記第１の収納室内に収納され、前記第２の接続ユニットが前記第２の収納室内に収納される巻取り機能付き電気コネクタを提供する。
【０００９】
以下に本考案に関わる詳しい説明及び添付図面を参照すれば、本考案が目的を達成するために採用した技術や手段及び効果をより理解できる。本考案の目的や特徴がこれらにより深くかつ具体的な了解を得られることが確信できるが、それらの添付図面は参考及び説明のみに用いられ、本考案の主張範囲を限定するものではないことは言うまでもないことである。
【考案の効果】
【００１０】
巻取り機能付き電気コネクタにおいて、接続ユニットと信号線とのつなぎ目が曲折しにくくなり、信号線のショートを防止できるので、電気コネクタの寿命を向上することができる。
【考案を実施するための最良の形態】
【００１１】
本考案による巻取り機能付き電気コネクタの実施の形態１は、図１及び図２に示すように、巻取りユニット１と、信号線２と、第１の接続ユニット３と、第２の接続ユニット４とを含む。
【００１２】
該巻取りユニット１の一側面に収納室１１が設けられる該巻取りユニット１は、自動巻取り機能を有する巻取り機であればよく、該巻取りユニット１の内部構造は、従来技術であって、本考案の技術特徴ではないため、ここでは説明を省略する。
【００１３】
該信号線２は、該巻取りユニット１に設けられ、該信号線２の一端が該収納室１１に露出され、他の一端が該収納室１１の対向側に露出される。該第１の接続ユニット３が、該信号線２の該収納室１１に露出された一端に設けられ、該第２の接続ユニット４が、該信号線２の他端に設けられる。
【００１４】
該信号線２は、第１の接続ユニット３および第２の接続ユニット４に電気的に接続するための線材であればよく、フラット式の電気ケーブルで良い。また、第１の接続ユニット３および第２の接続ユニット４は、あらゆる種類のプラグ、例えば、ＵＳＢ転送プラグや、ＰＳ２（パーソナルシステム２）転送プラグまたは１３９４転送プラグなどでも良い。該第２の接続ユニット４は、パソコンの周辺ハードウェア、例えば、マウスや、ハブまたはカードリーダなどであっても良く、本実施の形態ではマウスである。
【００１５】
よって、該信号線２を引っ張って信号線２の該巻取りユニット１に露出される長さを調整し、即ち、信号線２を巻取りユニット１から予定の長さで引き出して、その後、信号線２の引き出しを停止させる。信号線２は予定の長さに維持され、巻取りユニット１内に巻き取られることはない。
【００１６】
該巻取りユニット１が巻き取る場合、再び該信号線２を軽く引っ張ることだけで、該巻取りユニット１が自動で信号線を巻き取る。該信号線２が該巻取りユニット１に巻き取られると、図２に示すように、該第１の接続ユニット３が該収納室１１に収納され、該第２の接続ユニット４が該巻取りユニット１の対向側に近づくようになる。このように、該信号線２および第１の接続ユニット３は、第１の接続ユニット３が該収納室１１内に固定されるため、第１の接続ユニット３と信号線２との間が曲折し難くなり、該信号線２のショートを防止でき、製品の使用寿命を向上できる。
【００１７】
図３及び図４は本考案による巻取り機能付き電気コネクタの実施の形態２を示す。
実施の形態１との違いは、該巻取りユニット１ａの対向両側面に第１の収納室１２および第２の収納室１３がそれぞれ設けられ、該第２の接続ユニット４ａは、本実施の形態ではＵＳＢ転送プラグで良く、よって、信号線２が巻取りユニット１ａ内に巻き取られる時に、該第１の接続ユニット３が第１の収納室１２内に収納及び固定され、第２の接続ユニット４ａが第２の収納室１３内に収納、固定される点である。そのため、該信号線２の両端の第１の接続ユニット３および第２の接続ユニット４ａにそれぞれ接続する箇所が曲折しにくくなるように同時に保護できる。
【００１８】
しかし、以上に示したものは、単に本考案の好ましい具体的な実施の形態の詳細な説明および図面に過ぎない。本考案の特徴が上記に限られず、上記の特徴が本考案を限定するものではなく、本考案の全ての範囲は実用新案登録請求に準ずるものである。当該分野における通常の知識を有する当事者は、本考案をもとに、適当な変更や修飾などを実施できるが、それらの変更や修飾が本考案の主張範囲内に含まれることは言うまでもないことである。
【図面の簡単な説明】
【００１９】
【図１】本考案による巻取り機能付き電気コネクタの実施の形態１を示す斜視図である。
【図２】本考案による実施の形態１の巻取り機能付き電気コネクタにおいて、第１の接続ユニットが収納室内に収納された状態を示す斜視図である。
【図３】本考案による巻取り機能付き電気コネクタの実施の形態２を示す斜視図である。
【図４】本考案による実施の形態２の巻取り機能付き電気コネクタにおいて、第１の接続ユニットが第１の収納室内に収納され、第２の接続ユニットが第２の収納室内に収納された状態を示す斜視図である。
【符号の説明】
【００２０】
１  巻取りユニット
１ａ  巻取りユニット
２  信号線
３  第１の接続ユニット
４  第２の接続ユニット
４ａ  第２の接続ユニット
１１  収納室
１２  第１の収納室
１３  第２の収納室
【図１】
0003132874.tif 000003
【図２】
0003132874.tif 000004
【図３】
0003132874.tif 000005
【図４】
0003132874.tif 000006